(57)【特許請求の範囲】
【請求項１】
水底の泥層に下端を穿刺埋没させ上端側を水面上に突出させて立設される杆本体を有する水中穿刺杆装置であり、
杆本体の下端部に設けられ水面突出部からの長手軸周り方向回転入力により刺進する刺進体と、
杆本体の水面突出部に設けられ入力手段による回転入力を受けて杆本体を長手軸周り方向回転させる回転入力受部と、を含み、
杆本体は重心が下端側に位置するとともに、全体としては下端を下方に向けた状態で水面上に浮力支持されるように形成され、
さらに、杆本体は、それぞれが上下両端を閉鎖した密閉状の内部空間を有する合成樹脂製の中空筒状体からなる複数の杆部材を長手方向に脱着可能に接続して構成され、
最下端の杆部材は、密閉された中空内部の下部側に固化セメント、砂、石、金属のいずれかを含む高比重体を収容するとともに、同中空内部の残りの上部側に発泡スチロール材を含む低比重体を充填し、上部側の低比重体により水中で浮力支持されるように設けられ、
他の杆部材は、密閉された中空内部に発泡スチロール材を含む低比重体を充填することにより、それぞれが水面上への浮力を受けるように設けられ、
さらに、複数の杆部材を連結接続して杆本体を形成した際に杆本体全体として、重心が下端側に位置するとともに下端を下方に向けた状態で水面上に浮力支持されるように設けられたことを特徴とする水中穿刺杆装置。
【請求項２】
水底の泥層に下端を穿刺埋没させ上端側を水面上に突出させて立設される杆本体を有する水中穿刺杆装置であり、
杆本体の下端部に設けられ水面突出部からの長手軸周り方向回転入力により刺進する刺進体と、
杆本体の水面突出部に設けられ入力手段による回転入力を受けて杆本体を長手軸周り方向回転させる回転入力受部と、を含み、
杆本体は重心が下端側に位置するとともに、全体としては下端を下方に向けた状態で水面上に浮力支持されるように形成され、
さらに、杆本体は、それぞれが上下両端を閉鎖した密閉状の内部空間を有する合成樹脂製の中空筒状体からなる複数の杆部材を長手方向に脱着可能に接続して構成され、
最下端の杆部材は、密閉された中空内部の下部側に固化セメント、砂、石、金属のいずれかを含む高比重体を収容するとともに、同中空内部の残りの上部側に発泡スチロール材を含む低比重体を充填し、上部側の低比重体により水中で浮力支持されるように設けられ、
上部側に連結される杆部材は、外筒と、
外筒の中空内部に外筒内壁と間隔をあけるように外筒内径よりも小さい外径で形成されて二重管状に配置された内筒と、
内筒を外筒の中空内部の所要の位置に保持させ、かつ、外筒及び内筒の外内部との水密を保ち密閉された内部空間を形成するとともに、他の杆部材と連結させる連結アダプタと、を含む水密二重中空筒構造からなることにより、それぞれが水面上への浮力を受けるように設けられ、
さらに、複数の杆部材を連結接続して杆本体を形成した際に杆本体全体として、重心が下端側に位置するとともに下端を下方に向けた状態で水面上に浮力支持されるように設けられたことを特徴とする水中穿刺杆装置。
【請求項３】
杆部材どうしの脱着接続部は、一方の杆部材の端面から長手方向に突設された角形突起と、他方の杆部材の端面に軸方向に向けて凹設された角形受部と、による雌雄嵌合構造で、かつ、その嵌合状態をロックする機構を有し、
回転入力受部は、最上端側の杆部材に上方側に向けて突設された角形受部からなり、回転入力手段は、角形受部に脱着自在に挿嵌される軸承部と、軸承部に取り付けられたハンドルと、を含み杆本体を長手軸周り方向に回転させる回転入力具からなることを特徴とする請求項１又は２記載の水中穿刺杆装置。
【請求項４】
水位の変動に対応して杆本体の外面へのフジツボ等の付着を防止する付着防止機構であり、
水位の変動に対応して水面に浮遊する浮き体と、
浮き体を介して杆本体に沿って上下に移動する剥がし具であって、複数の杆部材のそれぞれに杆部材外面の周方向に全周に亘って近接するように貫挿され、互いに上下に離隔して配置される複数の金属環と、
複数の金属環を接続して同期して杆本体に沿って移動させるワイヤと、を含む付着防止機構を有することを特徴とする請求項１ないし３のいずれかに記載の水中穿刺杆装置。
【発明の詳細な説明】
【技術分野】
【０００１】
本発明は、漁船や小型船舶の係船位置指標や支持用、あるいは、海苔網支持用として水底に立設し上端を水面から突設させて設置させる水中穿刺杆装置に関する。
【背景技術】
【０００２】
漁船や遊漁船、その他の小型船舶は重機で陸揚して保管することなく、護岸のアンカーからロープを張って船尾の沖側に投錨した捨てアンカーと連係し、水面に浮遊させた状態で船を係船させて頻繁な使用等のために待機させる場合が多い。例えば図７は、従来のそのような水面浮遊式の係船を海辺の船溜まり部分に行う状態を示す図であり、岸壁３０１の水際寄りに設けられたアンカーブロック３０２に固定させたアンカーリング３０３と、係船すべき船ＢＴの船尾沖合い側に投錨した錨３０４とにロープ３０５を張設し、これに船ＢＴを係止させている。そして、この場合、隣接する船の舷側どうしの衝突防止や係船支持を兼ねた係船位置を示す目印のために上端を水面から突設させた長竹３０６を水底に刺しこんで立設させたものを指標とする場合が多い。この場合、船の舷側に立設させた長竹３０６にもやい綱３０７を周回させて掛けまわして船の位置決めが行われる。図８は、長竹３０６を水底３０８に刺しこんで立設させた状態を明示する側面図であり、図に示すように長竹３０６は例えば直径が２５ｃｍ〜３０ｃｍ程度、長さ３ｍ〜１０ｍ程度の孟宗竹が使用され、この孟宗竹には比較的に短い間隔で多くの節部３０９が形成されている。
【発明の開示】
【発明が解決しようとする課題】
【０００３】
上記の従来の長竹３０６を用いて船の係船位置決め指標等とする場合、以下のような問題があった。（１）長竹３０６は下端部を斜めに切り落として先鋭化して例えば全長１０ｍ程度の長さに設定し、これを護岸から例えば１０数メートル程度離れた水底３０８に突き刺すが、この際、例えば２艘の船が設置予定位置の水上で舷側を対向させるように近接して位置させ、この状態で長竹３０６を縦方向に配置させ、両側から人が支えながら上端部を下方に押さえ込む作業を行う。しかしながら、この方法では、竹の上端を手で把持して強引に下方に引下げながら下端側を水底に突き刺す作業が、大きな労力を要する上に、押し下げ方向に極めて僅かずつしか進まず、作業時間がかかっていた。したがって、これらの作業を例えば１０艘ぶん行うについては２０回ぶんの作業となり、労力、時間が大きな負担となっていた。（２）水底部分への打ち込み立設後、時間経過により風や波の影響などで横方向に揺さぶられて下端部が水底から抜け出し、該長竹が水面に漂流するうちに、船舶に衝突しこれを大きく損傷させて大きな物的損害を生じさせ、さらには遭難により人身事故を生じさせるおそれがあった。（３）また、沿岸の海浜などに漂着して浜辺を汚す原因となり、環境の保全、美化の点で好ましくなかった。（４）腐食により短いサイクルで新しい長竹との交換作業が必要となり、労力、時間、材料コストなどを要すると共に、作業を外部委託する場合には作業コストを要するものとなっていた。（５）特に、交換作業時に元の立設されている長竹を水底から引き抜く作業を伴うが、これが打ち込み立設時以上に大きな労力を要するものとなっていた。（６）長竹の表面にフジツボやカキ殻が付着し、さらにこれらが節部３０９表面に付着して大きな塊を形成し、このために、図８の状態で潮の干満移動時にもやい綱３０７がその部分に引っ掛かってしまい、係船中の船がいずれかに傾動状態で水に浸かって転覆する事故があった。そして、従来このような問題に対し、軽易な労力で短時間に係船指標を立設でき、腐食しにくく交換が不要で、しかもメンテナンス時にその抜き出し作業を簡単に行なえる係船指標について提案したものはなく、その出現が待望されていた。
【０００４】
本発明は、上記従来の課題に鑑みてなされたものであり、その１つの目的は、軽易な労力で簡単かつ短時間に係船指標としての穿刺杆の水底への打ち込み、抜き出しができる水中穿刺杆装置を提供することである。また、本発明の他の目的は、水底への打ち込み立設状態を確実に保持し、繰り返し揺動されても抜け出しにくい水中穿刺杆装置を提供することである。さらに、本発明の他の目的は、腐食しにくくメンテナンスが不要であり、さらに、杆本体表面への異物の付着を防止して係船時にその船の横転浸漬や、転覆事故等を生じさせることのない水中穿刺杆装置を提供することである。
【課題を解決するための手段】
【０００５】
上記の目的を達成するために、本発明は、水底３０８の泥層に下端を穿刺埋没させ上端側を水面上に突出させて立設される杆本体を有する水中穿刺杆装置であり、杆本体１２の下端部に設けられ水面突出部１２ａからの長手軸４００周り方向回転入力により刺進する刺進体１４と、杆本体１２の水面突出部１２ａに設けられ入力手段（４６）による回転入力を受けて杆本体を長手軸周り方向回転させる回転入力受部１６と、を含み、杆本体１２は重心が下端側に位置するとともに、全体としては下端を下方に向けた状態で水面上に浮力支持されるように形成され、さらに、杆本体１２は、それぞれが上下両端を閉鎖した密閉状の内部空間を有する合成樹脂製の中空筒状体からなる複数の杆部材１２１、１２２を長手方向に脱着可能に接続して構成され、最下端の杆部材１２１は、密閉された中空内部の下部側（１２１Ｂ）に固化セメント、砂、石、金属のいずれかを含む高比重体２４を収容するとともに、同中空内部の残りの上部側（１２１Ａ）に発泡スチロール材を含む低比重体２６を充填し、上部側の低比重体２６により水中で浮力支持されるように設けられ、他の杆部材は、密閉された中空内部に発泡スチロール材を含む低比重体２６を充填することにより、それぞれが水面上への浮力を受けるように設けられ、さらに、複数の杆部材１２１、１２２を連結接続して杆本体１２を形成した際に杆本体全体として、重心が下端側に位置するとともに下端を下方に向けた状態で水面上に浮力支持されるように設けられたことを特徴とする水中穿刺杆装置１０から構成される。杆本体は水中に立てて上下方向に細長い杆部材であり、２本以上の複数個を縦続方向に連結接続させて構成しても良い。円、角形、その他の任意の断面の筒形状であるとよい。刺進体１４は、立体円錐形、その円錐面に種々のあるいは複数の突起を形成したもの、あるいはその他の任意の先端先鋭化した形状のものがよい。より好ましくは、スパイラル状に旋回する刃体を有する構造のものであると回転入力による刺進退を軽い操作で円滑に行わせる点で有利である。素材は、好ましくは、耐食性を有する合成樹脂の成型体であるのがよい。入力手段自体は船舶用バッテリー等電力で駆動されるモータの回転入力を利用して動力で回転入力する構造の外部動力装置を用いてもよいが、手動入力とするのが簡易な開始、終了等できる点で有利である。入力具に対して回転入力受部を脱着自在に係合させる具体的な構成は任意に設定してよい。
【０００６】
また、本発明は、水底３０８の泥層に下端を穿刺埋没させ上端側を水面上に突出させて立設される杆本体を有する水中穿刺杆装置であり、杆本体１２の下端部に設けられ水面突出部１２ａからの長手軸４００周り方向回転入力により刺進する刺進体１４と、杆本体１２の水面突出部１２ａに設けられ入力手段（４６）による回転入力を受けて杆本体を長手軸周り方向回転させる回転入力受部１６と、を含み、杆本体１２は重心が下端側に位置するとともに、全体としては下端を下方に向けた状態で水面上に浮力支持されるように形成され、さらに、杆本体１２は、それぞれが上下両端を閉鎖した密閉状の内部空間を有する合成樹脂製の中空筒状体からなる複数の杆部材１２１、１２２、１２３、１２４を長手方向に脱着可能に接続して構成され、最下端の杆部材１２１は、密閉された中空内部の下部側（１２１Ｂ）に固化セメント、砂、石、金属のいずれかを含む高比重体２４を収容するとともに、同中空内部の残りの上部側（１２１Ａ）に発泡スチロール材を含む低比重体２６を充填し、上部側の低比重体２６により水中で浮力支持されるように設けられ、上部側に連結される杆部材１２３、１２４は、外筒６０と、外筒６０の中空内部に外筒内壁と間隔をあけるように外筒内径よりも小さい外径で形成されて二重管状に配置された内筒６２と、内筒６２を外筒６０の中空内部の所要の位置に保持させ、かつ、外筒６０及び内筒６２の外内部との水密を保ち密閉された内部空間を形成するとともに、他の杆部材と連結させる連結アダプタ６４ａ、６４ｂと、を含む水密二重中空筒構造６６からなることにより、それぞれが水面上への浮力を受けるように設けられ、さらに、複数の杆部材を連結接続して杆本体１２を形成した際に杆本体全体として、重心が下端側に位置するとともに下端を下方に向けた状態で水面上に浮力支持されるように設けられたことを特徴とする水中穿刺杆装置から構成される。
【０００７】
また、杆部材どうしの脱着接続部１８は、一方の杆部材の端面から長手方向に突設された角形突起２８と、他方の杆部材の端面に軸方向に向けて凹設された角形受部２８と、による雌雄嵌合構造で、かつ、その嵌合状態をロックする機構を有し、回転入力受部１６は、最上端側の杆部材に上方側に向けて突設された角形受部４０からなり、回転入力手段は、角形受部４０に脱着自在に挿嵌される軸承部４２と、軸承部４２に取り付けられたハンドル４４と、を含み杆本体を長手軸周り方向に回転させる回転入力具４６からなることとしてもよい。
【０００８】
また、水位の変動に対応して杆本体１２の外面へのフジツボ等の付着を防止する付着防止機構４８であり、水位の変動に対応して水面に浮遊する浮き体５２と、浮き体５２を介して杆本体に沿って上下に移動する剥がし具であって、複数の杆部材１２１、１２２のそれぞれに杆部材外面の周方向に全周に亘って近接するように貫挿され、互いに上下に離隔して配置される複数の金属環５０１、５０２と、複数の金属環５０１、５０２を接続して同期して杆本体に沿って移動させるワイヤ５６と、を含む付着防止機構を有することとしてもよい。船舶の転覆事故等を未然に回避しうる点で有利である。
【発明の効果】
【０００９】
本発明の水中穿刺杆装置は、水底の泥層に下端を穿刺埋没させ上端側を水面上に突出させて立設される杆本体を有する水中穿刺杆装置であり、杆本体の下端部に設けられ水面突出部からの長手軸周り方向回転入力により刺進する刺進体と、杆本体の水面突出部に設けられ入力手段による回転入力を受けて杆本体を長手軸周り方向回転させる回転入力受部と、を含む構成とすることにより、水面上からの回転入力により軽易な労力で、円滑に、しかも短時間に刺進体を水底の泥層に刺進させ杆本体を立設させることができる。また、杆本体の必要に応じた交換作業においても回転入力具等で軸周り逆方向に回転させることにより、簡単に該杆本体を抜脱させることができる。
【００１０】
また、杆本体は、複数の杆部材を長手方向に脱着可能に接続する構成とすることにより、係船位置や杆本体の立て込み位置の水深に対応して、長短いずれにもその最適な長さを設定できる上に、杆本体の刺進退操作も円滑に行えるようにし得る。
【００１１】
また、杆本体は、任意の断面形状を上下方向について一定に維持するように形成された直杆体からなる構成とすることにより、もやい綱を掛け回して係船する場合にフジツボ付着等によりもやい綱が杆本体に引っ掛かって船体を転覆させるようなことがなく、係船補助支持を継続して行なえる。
【００１２】
また、杆本体は重心が下端側に位置するとともに、全体としては水面上に浮力支持されるように形成された構成とすることにより、水底に立て込み作業する際には、簡単に水中に鉛直状態に降下させて穿刺作業を行なえるばかりでなく、作業中の取り落としや、立て直し時等に把持状態から離れても水面で直ちに回収することができ、作業性を良好に保持しうる。
【００１３】
また、杆本体は中空筒状体からなり、該中空筒状体の下部側に高比重体を収容し、上部側には低比重体を収容する状態で形成されているから、杆本体は海中でその下端を下方に向けつつ全体としては水面上に浮力支持される状態を確実に実現でき、上述した作業性の良好化を図れる。また、簡単な構造となっているので杆本体を低コストで製作可能となる。
【００１４】
また、刺進体は、螺子軸構造からなる構成とすることにより、水面上からの回転入力により、効果的に刺進体を螺進退させることができ、杆本体の立て込み、脱去作業を極めて少ない労力で、しかも短時間に終了させることができる。
【００１５】
また、回転入力受部は入力手段としての入力具に脱着自在に係合するように設けられた構成とすることにより、杆本体の立て込み使用時は単に直杆状の杆本体の水面突出部分が水面上に突設した構成となり、必要に応じて入力手段を用いて軽易な労力で、短時間に杆本体の穿刺埋没、脱去作業を行なえる。
【００１６】
また、杆部材どうしの接続部は、それぞれの杆部材どうしの嵌合状態でこれをロックし、さらに、その嵌合部分が水中から密閉された構成とすることにより、脱着接続部での複数個の杆の脱着接続構成としながら、水中に没する場合の多いそれらの部分を密閉して防錆や防食を施した耐久性のある構造とし得る。
【００１７】
また、水位の変動に対応して杆本体の外面へのフジツボ等の付着を防止する付着防止機構を有する構成とすることにより、杆本体表面への異物の付着を有効に防止してもやい綱等による係船補助支持を有効に実現し得る。
【００１８】
さらに、杆本体は、合成樹脂を成形して構成されたことにより、滑面状の杆本体表面としてもやい綱等の杆本体に沿った上下動時に引っ掛かる部分が全くなく、その係船補助支持機能を有効に継続することが可能である。
【００１９】
杆部材は、外筒と、外筒の中空内部に二重管状に配置された内筒と、内筒を外筒の中空内部の所要の位置に保持させ、かつ、外筒の外内部との水密を保ちながら他の杆部材と連結させる連結アダプタと、を含む水密二重筒構造からなる構成であるから、高い強度を保持でき、杆本体を水底に立設した状態で、例えば定常的な波による揺動を受け、或いは強風等で激しい波による揺動を受けた場合でも、杆本体の亀裂や破損が発生しにくく長期間継続して使用できる。また、杆本体の内側は水密二重筒状の中空状態なので浮力を受けやすく、杆本体の全体としては水面上に浮力支持される状態を実現しつつ強度向上も図れるという効果がある。さらに、連結アダプタが外筒の外内部との水密手段及び他の杆部材との連結手段を兼ね備えているので水中穿刺杆装置の低コスト製作を実効化し得る。
【発明を実施するための最良の形態】
【００２０】
以下、添付図面を参照しつつ本発明を実施するための最良の形態について説明する。本発明の水中穿刺杆装置は、海や湖、池等の水底の泥層に杆本体の下端を突き刺して種々の用途に利用する杆装置であり、例えば沿岸海域の護岸付近の係船支持を兼ねた係船指標、養殖海苔網支持杆、その他任意の用途に適用される。実施形態では、例えば係船指標等として用いる場合の例を示している。図１ないし図５は、係船指標等に適用する場合の本発明の一つの実施の形態を示しており、図１において、本実施形態の水中穿刺杆装置１０は、杆本体１２と、杆本体の下端部分に設けられた刺進体１４と、杆本体の水面突出部１２ａに設けられた回転入力受部１６と、を備えている。
【００２１】
図１において、水中穿刺杆装置の杆本体１２は、長手方向に２つに分割された杆部材としての第１杆１２１と、第２杆１２２とからなり、これらの第１、第２杆は脱着接続部１８を介して着脱可能に連結接続され、１本の長い杆体を構成する。本実施形態において、杆本体は中空円筒形状の例えば比較的に短いサイズのものを例示しており、例えば、第１杆１２１、第２杆１２２がそれぞれ２ｍ長、刺進体１４が０．５ｍで全長４．５ｍ程度の長さに設定されている。本実施形態において、第１杆１２１の下端側が水底３０８の泥層に穿刺埋設される部分であり、第２杆１２２の上端側がその状態で水面から突出される水面突出部１２ａを形成する。
【００２２】
本実施形態において、杆本体は、合成樹脂を成形して構成されており、詳細には、本実施形態では、例えばＦＲＰ(fiber-reinforced  plastics)繊維強化プラスチックなどが用いられて第１、第２杆は中空筒体を構成するように接合されている。杆本体全体は、水上からの操作により水底に穿刺されるから、できるだけ軽量であるのが好ましく、しかも浮力により水面に浮遊し得るものであるのが作業性を良好にする。第１杆１２１の下端部は、杆本体の立設位置付近に停止させた船の乗員による水面突出部への操作により水底の泥層に穿刺埋没されるものであり、水面突出部１２ａに対する軽易な労力作業により水底を刺進可能な構造を有する。水面突出部側の操作は、杆本体の長手軸周り方向への回転入力であり、回転入力を受けてスムーズに泥層内を刺進するものが良い。やじり状に長い円錐形状体としてもよいが、本実施形態では、より好ましい形態として、スパイラル刃２０を有するスパイラルドリル体等の螺子軸構造２２で構成されている。したがって、螺進及び螺退出移動が極めて円滑であり、よって杆本体の水底からの刺し込み、抜き出し操作を簡単に行なえる。具体的には、この刺進体は合成樹脂による筒体の成形あるいは接合時にステンレス製等のスパイラルドリル体の基部を埋め込みして一体接合している。
【００２３】
図２において、杆本体１２の中空内部は、下部側と上部側の２室に壁により仕切られて分割されており、下部室１２１Ａには高比重体２４が収容されるとともに、上部室１２１Ｂには低（軽）比重体２６がそれぞれ密閉状に収容されている。高比重体としては、例えば固化セメント、砂、石、金属、その他のウエイト物体等が充填されるとともに、低比重体としては、例えば水面を浮遊し得る浮力体を選択するとよい。本実施形態では、例えば、この低比重体として発泡スチロール材を充填している。したがって、第１杆１２１の縦方向での重心は下端側に位置し、その穿刺操作を行ないやすくすると共に、水中では上部室内の低比重体に対する浮力を介して浮きやすくなっている。そして、第２杆１２２と連結接続することにより、さらに浮力を受けて杆本体全体としては、水面に浮上するように構成されている。したがって、穿刺打ち込み作業や、杆の抜脱作業時に各杆を取り落としたり、いったん放す必要がある場合でも浮上するから、見つけて直ちに回収でき、それらの作業を円滑に遂行し得る。
【００２４】
第２杆１２２は、第１杆１２１と同様のＦＲＰ合成樹脂中空成型体からなり、その内部には発泡スチロール材等の低比重体２６が収容されている。第１、第２杆１２１，１２２は、脱着接続部１８において直状に連結接続された状態で、直径を上下方向に同じくする１つの直杆体となるように構成され、しかも合成樹脂の成形体により表面は滑面状に形成されている。すなわち、任意の断面形状を上下方向について一定に維持するように形成されている。したがって、この杆本体にもやい綱３０７を掛け回して係船させた場合でも長竹の節等により引っ掛かって船舶の転覆事故等を発生させることなく、波や潮の上下動時に円滑に安定して追随して係船補助を維持させ得る。
【００２５】
脱着接続部１８は、複数の杆本体を長手方向に脱着可能に接続する脱着接続手段であり、実施形態において、図２，３に示すように、第１杆側と第２杆側との雌雄嵌合でしかも共回りしないような嵌合構造でさらに、その状態をロックする機構により実現している。具体的には、第１杆１２１の上端側には第１杆１２１の杆本体の端面から長手方向に四角柱体からなる角形突部２８を突設するとともに、第２杆１２２の杆本体の下端面にはその軸方向に向けて該角形突部２８を嵌合状に受け容れる角形受部３０が凹設されている。角形突部２８には図４のように側方に貫通するボルト孔３２が穿孔されている。そして、角形受部３０の角形穴３０Ａに連通するロック孔３４が第２杆１２２の側面部分から貫通穿孔されている。このロック孔３４は、嵌合された角形突部２８のボルト孔３２に直状に連通するように位置決めされている。そして、第１杆１２１の角形突部２８を第２杆１２２の角形受部３０の角形穴３０Ａ内に突入嵌合させ、その状態でボルト３６をロック孔３４から差し込んで螺着させることにより、それらの雌雄嵌合状態をロックし、杆本体全体の直状杆構造を維持させる。さらに、この実施形態において、ボルト３６の螺着後に、そのロック孔３４を密閉するゴムキャップ等からなる栓体３８が押し詰められ、その嵌合部分が水中から遮断されて予め適宜の油分等を充填することにより錆等を生じさせないようにしている。ここに、脱着接続部１８は、角形突部２８と、角形受部３０と、ボルト３６とを含む。脱着接続部を介して杆全体の長さを自在に設定可能であり、したがって、係船位置での常時の水深に対応して所望の長さの杆本体を選択できる。
【００２６】
本実施形態では、２本の杆体を縦続接続して１本の杆本体としており、上部側の第２杆１２２の上端側に回転入力受部１６が設けられている。回転入力受部１６は、杆本体１２の水面突出部１２ａに設けられるものであり、この回転入力受部１６は、例えば常時水面から空中に突出して配置される。回転入力受部１６は、入力手段による回転入力を受けて杆本体１２を長手軸４００周り方向に回転させる入力手段の回転入力受手段であり、特に入力手段による入力部と回転入力受部とは脱着自在に構成されている。本実施形態において、手動回転入力により下端側の刺進体１４を穿刺させる構造であり、第２杆１２２の上端側端部平面から軸方向に突出する脱着接続部と同様の角形突部４０が突設されている。そして、例えば、図５に示すような角形突部４０に挿嵌される孔を有する円盤状の軸承部４２と該軸承部を中央にして両側に延びるハンドル４４を含む回転入力具４６により、手動回転入力により簡単に刺進体を介して杆本体全体を水底部に穿刺埋設、あるいは抜取操作し得る。なお、回転入力は必ずしも人力手作業によらしめる必要はなく、船舶動力や燃料発電機等から得られる電力を介して駆動する軸回転入力装置を用い、これに対して脱着接続するようにしてもよい。
【００２７】
さらに、本実施形態において、付着防止機構４８が設けられている。付着防止機構４８は、杆本体１２の外面へのフジツボ等の異物の付着を防止する付着防止手段であり、本実施形態では、潮や波の動きに対応して変動する水位変動を利用してこの杆体の該表面への異物の付着防止機能を行なうようにしている。本実施形態において、付着防止機構４８は、杆本体に貫挿されて該杆本体の長手方向に遊動自在に設けられた剥し具５０と、剥し具５０に連係されつつ水面に浮遊する浮き体５２と、を含む。浮き体５２は索５４を介して剥し具５０と接続されており、これによって、水位変動に対応して浮き体５２を介して剥し具５０を杆本体に沿って上下に追従移動させる。本実施形態において、剥し具５０は、ある程度の隙間を開けてワイヤ５６を介して杆本体に貫挿される耐食性の金属環からなり、特に実施形態では、上下に離隔して２個の金属環５０１，５０２をワイヤ５６で接続して同期して杆本体に沿って移動し得るように構成している。これによって、低廉な材料コストにより効果的にフジツボやカキ殻等の異物の杆表面への付着を防止することができる。
【００２８】
次に、実施形態の水中穿刺杆装置１０の作用について説明すると、係船位置の最深の水深位置に対応した長さの杆本体を設定し、複数の杆の縦続接続の場合には脱着接続部１８により連結して全体が１本の直杆体となるように組み付けておく。そして、例えば作業用の船にこれらの杆装置を積み込んで係船位置に移動し、この杆本体の刺進体１４側から先に水中に降下させる。水底に着底すると回転入力受部１６の角形突部４０に回転入力具４６の軸承部４２を嵌合させ、その状態で軸周り方向に水平回転させることにより、杆本体に固定された刺進体１４が回転しながら簡単に水底の泥層内に穿刺され杆本体全体が立設支持される。この杆本体の穿刺位置と左右に対向する位置において、同様の操作で他の１本の杆本体１２を穿刺立設することにより少ない労力で、短時間に作業を終了させることができる。この杆本体を抜脱する際には、水面突出部１２ａに形成された回転入力受部１６に回転入力具４６を嵌合させて逆回転させることで，極めて軽易に短時間で抜取作業を終了し得る。また、潮の干満あるいは波の動き等により水位が変動すると、これに対応して浮き体５２を介して剥し具５０が杆本体の長手方向に該杆本体に沿って上下動するから、常に杆本体の外表面をこする動作をおこなうこととなり、フジツボやカキ殻等が付着することができず、常に真円直状の杆本体を維持してもやい綱３０７による補助的な係止を実効的に行なわせることができる。
【００２９】
次に、本発明の水中穿刺杆装置の第２の実施形態について図９ないし図１３に基づいて説明するが、第１実施形態と同一部材には同一の符号を付し、その詳細な説明は省略する。本実施形態における第１実施形態との相違点は、図１３に示すように、第２杆１２２Ａが複数の中空二重管１２３、１２４、・・・を連結して形成されている点である。本実施形態において、第２杆１２２Ａを形成する一つの中空二重管、例えば、中空二重管１２３は、外筒６０と、内筒６２と、連結アダプタ６４ａ、６４ｂと、を含む。図１０ないし図１３に示すように、外筒６０は、第１杆１２１と略同じ長さおよび外径で略５ｍｍ程度の肉厚を有する両端が開放した中空円筒体で形成されている。また、内筒６２は、図１０ないし図１３において、外筒６０の長さよりやや短い長さで外筒６０の略半分程度の径と外筒６０と略同じ肉厚で両端が開放した中空円筒体で形成されており、後述の連結アダプタ６４ａ、６４ｂでその両端を支持されて、外筒６０の中空内部に二重管状に配置されている。本実施形態では、外筒６０、内筒６２は、例えばＦＲＰ樹脂製で形成されているが、複数の中空二重管あるいは杆部材を連結して杆本体を形成するので、できるだけ軽量な材料であれば他の合成樹脂製であってもよいし。また、杆本体が直杆状となれば、例えば断面六角形等の形状であってもよい。内筒の長さおよび径は、内筒の両端に連結アダプタをもうけることができて、外筒の内側に中空二重管状態を形成できる程度の寸法であればよい。
【００３０】
本実施形態において、連結アダプタ６４は、中空二重管１２３、１２４、・・・を、その外筒６０の外内部との水密を保ちながら第１杆１２１あるいは他の中空二重管と脱着連結させる水密脱着連結手段である。図１３に示すように、中空二重管１２３の上端に雄型連結アダプタ６４ａが設けられ、下端に雌型連結アダプタ６４ｂが設けられている。本実施形態において、雄型連結アダプタ６４ａは、連結部７２ａと、水密保持部７４と、内筒端保持部７０とを含む。図１０ないし図１３に示すように、連結部７２ａは、外筒６０の内径と略同じ外径および長さの円筒体の一端に、ボルト孔３２を有する角形突部２８を突設して設けて形成される。また、内筒端保持部７０は、内筒６２の端部を保持する部位であり、図１２において、該円柱体の他端側に内筒６２の外形と略同じ内径で所要の深さの円筒状の凹部を設けて形成されている。そして、水密保持部７４は、図１２において、該円柱体の外周側面の所要の位置に周回状の浅い溝（図示しない）を設け、その溝に水密手段としての例えば水密用リング部材６８を設けて形成される。したがって、該水密用リング部材６８が外筒６０の内周面と接して外筒６０の外内部との水密を保っている。一方、雌型連結アダプタ６４ｂも、連結部７２ｂと、水密保持部７４と、内筒端保持部７０とを含むが、雄型アダプタ６４ａとの相違点は連結部７２ｂにあり、水密保持部７４および内筒端保持部７０は、雄型アダプタ６４ａと同じなのでその詳細な説明を省略する。図１２、１３に示すように、連結部７２ｂは、外筒６０の内径と略同じ外形と長さの円筒体の一端側に、該角形突部２８を嵌合状に受け入れてロック孔３４を有する角形受部３０を凹設して形成される。そして、該円柱体の他端側に内筒端保持部７０と、該円柱体の外周側面に水密保持部７４と、を設けている。本実施形態において、連結アダプタ６４は、円柱状ＦＲＰ樹脂製で形成されるが、外筒・内筒の形状に応じた形状としてもよいし、連結強度を維持できれば他の合成樹脂製で形成してもよい。
【００３１】
したがって、雌雄連結アダプタ６４ａ、６４ｂの内筒端保持部７０に内筒６２の端部をそれぞれ差し込んで連結アダプタ６４と内筒６２を一体とし、水密保持用リング部材６８を該アダプタ６４ａ、６４ｂに装着した状態で、外筒６０の内側に挿入することで、水密二重筒構造６６を有する中空二重管１２３を形成できる。本実施形態において、第２杆は三本の中空二重管１２３、１２４、・・・を連結して形成しているので、まず、中空二重管１２３の雄型連結アダプタ６４ａの角形突部２８を他の中空二重管１２４の雌型連結アダプタ６４ｂの角形受部３０と嵌合させ、その状態でボルト３６をロック孔３４から差し込んで螺着し、それらの雌雄嵌合状態をロックすることで、二本の中空二重管１２３、１２４、を連結させる。次に、上端部に回転入力受部１６を設けた他の中空二重管（図示しない）を、中空二重管１２４の上端に連結させて第２杆１２２Ａを形成する。さらに、第２杆１２２Ａの下端側に刺進体１４を有する第１杆１２１を連結させて本実施形態の水中穿刺杆装置を形成する。この実施形態においても、ボルト３６の螺着後に、そのロック孔３４を密閉するゴムキャップ等からなる栓体３８が押し詰められ、その嵌合部分が水中から遮断されて予め適宜の油分等を充填することにより錆等を生じさせないようにしている。以上のように、複数の中空二重管１２３、１２４、・・・を連結させて水深に応じた杆本体１２の長さとした場合でも、杆本体１２は二重筒構造からなるので高い強度と剛性を保持でき、穿刺作業時に上端の回転入力具４６に回転力が働いても捻じれたりせず確実に刺進体１４に伝達され、穿刺作業をやりやすい。また、杆本体１２を水底に立設させた状態で、例えば定常的な波による揺動を受け、或いは強風等で激しい波による揺動を受けた場合でも、杆本体の亀裂や破損が発生しにくく長期間継続して使用できる。また、下端側の第１杆１２１には高比重体が収容され、第１杆より上側は中空二重筒状の中空状態なので浮力を受けやすく、杆本体１２の全体としては、刺進体１４を下に向けた状態で水面上に浮力支持される状態を実現しつつ強度向上も図れるという効果がある。さらに、連結アダプタ６４が外筒６０の外内部との水密手段及び他の杆部材若しくは中空二重管との連結手段を兼ね備えているので水中穿刺杆装置の低コスト製作を実効化し得る。
【００３２】
以上説明した本発明の水中穿刺杆装置は、上記した実施形態のみの構成に限定されるものではなく、特許請求の範囲に記載した本発明の本質を逸脱しない範囲において、任意の改変を行ってもよい。例えば、杆本体は１個のみでもよく、３本以上の複数本の連結接続構成としても良い。また、杆本体の素材も刺進体、回転入力受部を形成しうる限りは例えば竹製でもよい。
【産業上の利用可能性】
【００３３】
本発明の水中穿刺杆装置は、海の護岸周りや湖、池などでの係船支持兼指標用、海苔養殖網支持杆、諸種の水中実験設備での支持用、その他の水中穿刺杆体を必要とするすべての用途について好適に用いることができる。
【図面の簡単な説明】
【００３４】
【図１】本発明の第１実施形態に係る水中穿刺杆装置の分解斜視説明図である。
【図２】図１の装置の一部切欠斜視拡大斜視説明図である。
【図３】図１の装置の脱着接続部の拡大斜視説明図である。
【図４】図３の角形突部の部分を含む断面説明図である。
【図５】回転入力具の平面図である。
【図６】図１の装置の係船支持状態を示す縦断面説明図である。
【図７】護岸域での一般的な係船状態を示す説明図である。
【図８】従来の方法による係船支持状態を示す縦断面説明図である。
【図９】本発明の第２実施形態に係る水中穿刺杆装置の分解斜視説明図である。
【図１０】中空二重管の平面図である。
【図１１】中空二重管の左右側面図である。
【図１２】図１０の一部省略Ａ−Ａ断面図である。
【図１３】本実施形態の水中穿刺杆装置の連結状態を説明する分解斜視説明図である。
【符号の説明】
【００３５】
１０  水中穿刺杆装置
１２  杆本体
１２ａ  水面突出部
１４  刺進体
１６  回転入力受部
１８  脱着接続部
２２  螺子軸構造
２８  角形突部
３０  角形受部
３４  ロック孔
３８  栓体
４６  回転入力具
４８  付着防止機構
１２１  第１杆
１２２、１２２Ａ  第２杆
３０８  水底
４００  長手軸
１２３、１２４  中空二重管
６０  外筒
６２  内筒
６４、６４ａ，６４ｂ  連結アダプタ
６６  水密二重筒構造
【図１】
0004771252.tif 000002
【図２】
0004771252.tif 000003
【図３】
0004771252.tif 000004
【図４】
0004771252.tif 000005
【図５】
0004771252.tif 000006
【図６】
0004771252.tif 000007
【図７】
0004771252.tif 000008
【図８】
0004771252.tif 000009
【図９】
0004771252.tif 000010
【図１０】
0004771252.tif 000011
【図１１】
0004771252.tif 000012
【図１２】
0004771252.tif 000013
【図１３】
0004771252.tif 000014